(57)【要約】【課題】撮像装置によって撮像された様々な画像の中から、利用者にとって重要な画像をこれまでより適切に選択する。【解決手段】撮像した複数の画像と、少なくとも１つの画像を表示装置に表示させる表示順序を指定するアルバム情報ファイルとを、別個のファイルとして記録媒体に記録する撮像装置であって、当該撮像装置の使用者による、画像の撮像前または撮像後の操作を取得する操作取得部と、表示装置に表示させる画像に対応付けて、当該画像の撮像前または撮像後の操作に応じた重要度で当該画像を表示させるべく操作の情報をアルバム情報ファイルに記録する操作記録部とを備える撮像装置を提供する。【選択図】図３
2007013936.tif 000002
【特許請求の範囲】
【請求項１】
撮像した複数の撮像画像と、少なくとも１つの前記撮像画像を表示装置に表示させる表示順序を指定するアルバム情報ファイルとを、別個のファイルとして記録媒体に記録する撮像装置であって、
当該撮像装置の使用者による、前記撮像画像の撮像前または撮像後の操作を取得する操作取得部と、
表示装置に表示させる前記撮像画像に対応付けて、当該撮像画像の撮像前または撮像後の前記操作に応じた重要度で当該撮像画像を表示させるべく前記操作を示す操作情報を前記アルバム情報ファイルに記録する操作記録部と
を備える撮像装置。
【請求項２】
前記操作取得部は、前記使用者の合焦操作に応じて、合焦された被写体を特定し、
前記操作記録部は、合焦された前記被写体を特定する前記操作情報を前記アルバム情報ファイルに記録する
請求項１に記載の撮像装置。
【請求項３】
前記操作取得部は、前記使用者による撮像後のズームイン操作または撮像前のズームアウト操作に応じて、撮像前または撮像後に拡大された被写体を特定し、
前記操作記録部は、拡大された前記被写体を特定する前記操作情報を前記アルバム情報ファイルに記録する
請求項１に記載の撮像装置。
【請求項４】
前記操作取得部は、前記撮像画像に含まれる複数の被写体のうち、前記使用者が撮像前または後に前記撮像装置の向きを変えて撮像領域の中心に捉えた被写体を特定し、
前記操作記録部は、前記操作取得部が特定した被写体を示す前記操作情報を前記アルバム情報ファイルに記録する
請求項１に記載の撮像装置。
【請求項５】
前記操作取得部は、前記使用者が撮像する前記撮像画像の構図を定めてから前記撮像画像を撮像するまでの時間を取得し、
前記操作記録部は、前記操作取得部が取得した時間を前記操作情報として前記アルバム情報ファイルに記録する
請求項１に記載の撮像装置。
【請求項６】
前記操作取得部は、前記撮像装置の電源が投入されてから最初に前記撮像画像が撮像されるまでの時間を取得し、
前記操作記録部は、前記操作取得部が取得した時間を前記操作情報として前記アルバム情報ファイルに記録する
請求項１に記載の撮像装置。
【請求項７】
前記操作記録部は、前記撮像画像の撮像時刻より予め定められた時間前から前記撮像時刻までの間の前記操作、または、前記撮像時刻から前記撮像時刻より予め定められた時間後までの間の前記操作の情報を前記アルバム情報ファイルに記録する請求項１に記載の撮像装置。
【請求項８】
前記使用者が前記撮像画像の撮像前または前記撮像後に当該撮像装置を操作している間における操作中画像を取得する操作中画像取得部と、
撮像した前記撮像画像と前記操作中画像とを比較する画像比較部と
を更に備え、
前記操作記録部は、撮像した前記撮像画像と前記操作中画像との被写体の一致度が予め定められた基準値以上であることを条件として、当該操作の情報を前記アルバム情報ファイルに記録する
請求項１に記載の撮像装置。
【請求項９】
撮像する前記撮像画像の焦点を合わせる合焦部を更に備え、
前記操作取得部は、撮像領域内の複数のフォーカス位置のそれぞれについて被写体までの距離を示す情報を前記操作情報として取得する
請求項１に記載の撮像装置。
【請求項１０】
前記使用者が前記撮像画像の撮像前または前記撮像後に前記撮像装置を操作している間における複数の操作中画像を連続的に取得する操作中画像取得部と、
前記操作中画像取得部が取得した前記複数の操作中画像の画像内容を比較して、当該複数の操作中画像の間の一致度を算出する画像比較部と
を更に備え、
前記操作記録部は、前記画像比較部が算出した一致度が予め定められた基準値以上である操作中画像が撮像されている間における前記操作を示す操作情報を、前記アルバム情報ファイルに記録する
請求項１に記載の撮像装置。
【請求項１１】
前記使用者からの前記撮像装置への指示入力を受け付ける指示入力部
をさらに備え、
前記操作取得部は、前記指示入力部が指示入力を受け付けたタイミングから前記撮像画像が撮像されたタイミングまでの間における操作を取得する
請求項１に記載の撮像装置。
【請求項１２】
前記操作記録部は、前記操作取得部が特定した被写体を他の被写体より強調して表示させるべく、前記操作取得部が特定した被写体を示す前記操作情報を前記アルバム情報ファイルに記録する
請求項２から４に記載の撮像装置。
【請求項１３】
撮像した複数の撮像画像と、少なくとも１つの前記撮像画像を表示装置に表示させる表示順序を指定するアルバム情報ファイルとを、別個のファイルとして記録媒体に記録する撮像装置であって、
当該撮像装置の使用者による、前記撮像画像の撮像前からの、撮像領域に対する撮像装置の回転操作を取得する操作取得部と、
表示装置に表示させる前記撮像画像に対応付けて、当該撮像画像の撮像前からの前記回転操作に応じた撮像装置の回転量だけ回転させて当該撮像画像を表示させるべく前記回転操作を示す操作情報を前記アルバム情報ファイルに記録する操作記録部と
を備える撮像装置。
【請求項１４】
前記使用者による前記撮像画像の撮像前における撮像前画像を取得する操作中画像取得部と、
前記操作中画像取得部が取得した撮像前画像と前記撮像装置が撮像した撮像画像とを比較する画像比較部と
を更に備え、
前記操作取得部は、前記画像比較部による比較結果に基づいて、操作中画像が撮像されたタイミングから撮像画像が撮像されたタイミングまでの間における撮像領域の回転量を特定し、
前記操作記録部は、前記操作取得部が特定した回転量を特定する前記操作情報を前記アルバム情報ファイルに記録する
請求項１３に記載の撮像装置。
【請求項１５】
前記使用者が前記撮像画像の撮像前における複数の操作中画像を連続的に取得する操作中画像取得部と、
前記撮像画像を撮像する前のタイミングにおいて前記操作中画像取得部が取得した第１操作中画像と第２操作中画像とを比較する画像比較部と
を更に備え、
前記操作取得部は、前記画像比較部による比較結果に基づいて、前記撮像画像を撮像する前のタイミングから前記撮像画像が撮像されるタイミングまでの間において連続的に回転操作が行われた期間にわたる撮像領域の回転量を特定し、
前記操作記録部は、前記操作取得部が特定した回転量を特定する前記操作情報を前記アルバム情報ファイルに記録する
請求項１３に記載の撮像装置。
【請求項１６】
撮像された複数の撮像画像と、少なくとも１つの前記撮像画像を表示させる表示順序を指定するアルバム情報ファイルとを別個のファイルとして記録した記録媒体を読み出して、前記少なくとも１つの撮像画像を前記表示順序により表示する表示装置であって、
前記アルバム情報ファイルにおいて前記表示順序が指定されたそれぞれの前記撮像画像について、当該撮像画像を撮像した撮像装置により当該撮像画像に対応付けて前記アルバム情報ファイルに記録された、前記撮像装置の使用者による当該撮像画像の撮像前または撮像後の操作を読み出す操作読出部と、
前記操作に基づいて、前記撮像画像の重要度を判断する重要度判断部と、
前記少なくとも１つの撮像画像のそれぞれを、前記重要度に応じた表示方法により表示する表示部と
を備える表示装置。
【請求項１７】
前記表示部は、前記重要度に応じて、当該撮像画像を表示する時間、当該撮像画像を表示する大きさ、および当該撮像画像を表示している間に再生する音声の音量のうち少なくとも１つを変更する請求項１６に記載の表示装置。
【請求項１８】
撮像装置によって撮像した複数の撮像画像と、少なくとも１つの前記撮像画像を表示装置に表示させる表示順序を指定するアルバム情報ファイルとを、別個のファイルとして記録媒体に記録する撮像方法であって、
当該撮像装置の使用者による、前記撮像画像の撮像前または撮像後の操作を取得する段階と、
表示装置に表示させる前記撮像画像に対応付けて、当該撮像画像の撮像前または撮像後の前記操作に応じた重要度で当該撮像画像を表示させるべく前記操作の情報を前記アルバム情報ファイルに記録する段階と
を備える撮像方法。
【請求項１９】
撮像した複数の撮像画像と、少なくとも１つの前記撮像画像を表示装置に表示させる表示順序を指定するアルバム情報ファイルとを、別個のファイルとして記録媒体に記録する撮像方法であって、
前記撮像装置を撮像した撮像装置の使用者による、前記撮像画像の撮像前からの、撮像領域に対する撮像装置の回転操作を取得する操作取得段階と、
表示装置に表示させる前記撮像画像に対応付けて、当該撮像画像の撮像前からの前記回転操作に応じた撮像装置の回転量だけ回転させて当該撮像画像を表示させるべく前記回転操作を示す操作情報を前記アルバム情報ファイルに記録する操作記録段階と
を備える撮像方法。
【請求項２０】
撮像装置によって撮像された複数の撮像画像と、少なくとも１つの前記撮像画像を表示させる表示順序を指定するアルバム情報ファイルとを別個のファイルとして記録した記録媒体を読み出して、前記少なくとも１つの撮像画像を前記表示順序により表示する表示方法であって、
前記アルバム情報ファイルにおいて前記表示順序が指定されたそれぞれの前記撮像画像について、前記撮像装置により当該撮像画像に対応付けて前記アルバム情報ファイルに記録された、前記撮像装置の使用者による当該撮像画像の撮像前または撮像後の操作を読み出す段階と、
前記操作に基づいて、前記撮像画像の重要度を判断する段階と、
前記少なくとも１つの撮像画像のそれぞれを、前記重要度に応じた表示方法により表示する段階と
を備える表示方法。
【請求項２１】
撮像した複数の撮像画像と、少なくとも１つの前記撮像画像を表示装置に表示させる表示順序を指定するアルバム情報ファイルとを、別個のファイルとして記録媒体に記録する撮像装置を制御するプログラムであって、
前記撮像装置を、
当該撮像装置の使用者による、前記撮像画像の撮像前または撮像後の操作を取得する操作取得部と、
表示装置に表示させる前記撮像画像に対応付けて、当該撮像画像の撮像前または撮像後の前記操作に応じた重要度で当該撮像画像を表示させるべく前記操作の情報を前記アルバム情報ファイルに記録する操作記録部と
して機能させるプログラム。
【請求項２２】
撮像した複数の撮像画像と、少なくとも１つの前記撮像画像を表示装置に表示させる表示順序を指定するアルバム情報ファイルとを、別個のファイルとして記録媒体に記録する撮像装置を制御するプログラムであって、
前記撮像装置を、
当該撮像装置の使用者による、前記撮像画像の撮像前からの、撮像領域に対する撮像装置の回転操作を取得する操作取得部と、
表示装置に表示させる前記撮像画像に対応付けて、当該撮像画像の撮像前からの前記回転操作に応じた撮像装置の回転量だけ回転させて当該撮像画像を表示させるべく前記回転操作を示す操作情報を前記アルバム情報ファイルに記録する操作記録部と
して機能させるプログラム。
【請求項２３】
撮像装置によって撮像された複数の撮像画像と、少なくとも１つの前記撮像画像を表示させる表示順序を指定するアルバム情報ファイルとを別個のファイルとして記録した記録媒体を読み出して、前記少なくとも１つの撮像画像を前記表示順序により表示する表示装置を制御するプログラムであって、
前記表示装置を、
前記アルバム情報ファイルにおいて前記表示順序が指定されたそれぞれの前記撮像画像について、前記撮像装置により当該撮像画像に対応付けて前記アルバム情報ファイルに記録された、前記撮像装置の使用者による当該撮像画像の撮像前または撮像後の操作を読み出す操作読出部と、
前記操作に基づいて、前記撮像画像の重要度を判断する重要度判断部と、
前記少なくとも１つの撮像画像のそれぞれを、前記重要度に応じた表示方法により表示する表示部と
して機能させるプログラム。
【発明の詳細な説明】
【技術分野】
【０００１】
本発明は、撮像装置、表示装置、撮像方法、表示方法、およびプログラムに関する。特に、本発明は、撮像した画像の画像データに対応付けて付加情報を記録する撮像装置、表示装置、撮像方法、表示方法、およびプログラムに関する。
【背景技術】
【０００２】
近年、デジタルカメラと大容量の記録媒体とが比較的安価に入手できるため、営業目的のみならず個人的な利用においても大量の画像を撮像することが一般的になってきている。このため、例えば旅行中に撮像したスナップ写真や風景写真の中には、アルバムに入れて保存しておきたい写真のみならず、撮像に失敗して不要となった写真も含まれている場合がある。このような場合には、従来、利用者は、撮像した全ての写真を見た上で、必要な写真のみを手作業で仕分けしてアルバムに入れなければならなかった。
【０００３】
これに対して、従来、撮像した画像の画像データを、その画像の撮像時に撮像装置に対して設定されていたパラメータに対応付けて記録する技術が提案されている（特許文献１参照。）。この技術によれば、大量の画像を撮像した場合であっても、当該パラメータに基づいて自動的な画像の分類を行うことができる。
【０００４】
【特許文献１】特開２００３−７８８５９号公報
【発明の開示】
【発明が解決しようとする課題】
【０００５】
上記文献において、撮像時に記録される諸条件とは、ホワイトバランス情報、フォーカス情報、露出情報、またはズーム情報等の、撮像装置に設定される各種のパラメータである。このようなパラメータは、写真撮像技術の専門家や画像処理の専門家にとっては重要なことが多い。しかしながら、このようなパラメータは、一般利用者がその主観に基づいて写真の重要性を判断する指標とはならない場合が多い。
【０００６】
そこで本発明は、上記の課題を解決することのできる撮像装置、表示装置、撮像方法、表示方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、撮像した複数の撮像画像と、少なくとも１つの撮像画像を表示装置に表示させる表示順序を指定するアルバム情報ファイルとを、別個のファイルとして記録媒体に記録する撮像装置であって、当該撮像装置の使用者による、撮像画像の撮像前または撮像後の操作を取得する操作取得部と、表示装置に表示させる画像に対応付けて、当該撮像画像の撮像前または撮像後の操作に応じた重要度で当該撮像画像を表示させるべく操作を示す操作情報をアルバム情報ファイルに記録する操作記録部とを備える撮像装置を提供する。
【０００８】
また、操作取得部は、使用者の合焦操作に応じて、合焦された被写体を特定し、操作記録部は、合焦された被写体を特定する操作情報をアルバム情報ファイルに記録してもよい。
また、操作取得部は、撮像装置の使用者による撮像後のズームイン操作または撮像前のズームアウト操作に応じて、撮像前または撮像後に拡大された被写体を特定し、操作記録部は、拡大された被写体を特定する操作情報をアルバム情報ファイルに記録してもよい。
【０００９】
また、操作取得部は、撮像画像に含まれる複数の被写体のうち、使用者が撮像前または後に撮像装置の向きを変えて撮像領域の中心に捉えた被写体を特定し、操作記録部は、操作取得部が特定した被写体を示す操作情報をアルバム情報ファイルに記録してもよい。
また、操作取得部は、使用者が撮像する撮像画像の構図を定めてから撮像画像を撮像するまでの時間を取得し、操作記録部は、操作取得部が取得した時間を操作情報としてアルバム情報ファイルに記録してもよい。
【００１０】
また、操作取得部は、撮像装置の電源が投入されてから最初に撮像画像が撮像されるまでの時間を取得し、操作記録部は、操作取得部が取得した時間を操作情報としてアルバム情報ファイルに記録してもよい。
また、操作記録部は、撮像画像の撮像時刻より予め定められた時間前から撮像時刻までの間の操作、または、撮像時刻から撮像時刻より予め定められた時間後までの間の操作の情報をアルバム情報ファイルに記録してもよい。
【００１１】
また、使用者が撮像画像の撮像前または撮像後に当該撮像装置を操作している間における操作中画像を取得する操作中画像取得部と、撮像した撮像画像と操作中画像とを比較する画像比較部とを更に備え、操作記録部は、撮像した撮像画像と操作中画像との被写体の一致度が予め定められた基準値以上であることを条件として、当該操作の情報をアルバム情報ファイルに記録してもよい。
また、撮像する撮像画像の焦点を合わせる合焦部を更に備え、操作取得部は、撮像領域内の複数のフォーカス位置のそれぞれについて被写体までの距離を示す情報を操作情報として取得してもよい。
【００１２】
使用者が撮像画像の撮像前または撮像後に撮像装置を操作している間における複数の操作中画像を連続的に取得する操作中画像取得部と、操作中画像取得部が取得した複数の操作中画像の画像内容を比較して、当該複数の操作中画像の間の一致度を算出する画像比較部とを更に備え、操作記録部は、画像比較部が算出した一致度が予め定められた基準値以上である操作中画像が撮像されている間における操作を示す操作情報を、アルバム情報ファイルに記録してよい。
【００１３】
使用者からの撮像装置への指示入力を受け付ける指示入力部をさらに備え、操作取得部は、指示入力部が指示入力を受け付けたタイミングから撮像画像が撮像されたタイミングまでの間における操作を取得してよい。
【００１４】
操作記録部は、操作取得部が特定した被写体を他の被写体より強調して表示させるべく、操作取得部が特定した被写体を示す操作情報をアルバム情報ファイルに記録してよい。
【００１５】
本発明の第２の形態においては、撮像した複数の撮像画像と、少なくとも１つの撮像画像を表示装置に表示させる表示順序を指定するアルバム情報ファイルとを、別個のファイルとして記録媒体に記録する撮像装置であって、当該撮像装置の使用者による、撮像画像の撮像前からの、撮像領域に対する撮像装置の回転操作を取得する操作取得部と、表示装置に表示させる撮像画像に対応付けて、当該撮像画像の撮像前からの回転操作に応じた撮像装置の回転量だけ回転させて当該撮像画像を表示させるべく回転操作を示す操作情報をアルバム情報ファイルに記録する操作記録部とを提供する。
【００１６】
使用者による撮像画像の撮像前における撮像前画像を取得する操作中画像取得部と、操作中画像取得部が取得した撮像前画像と撮像装置が撮像した撮像画像とを比較する画像比較部とを更に備え、操作取得部は、画像比較部による比較結果に基づいて、操作中画像が撮像されたタイミングから撮像画像が撮像されたタイミングまでの間における撮像領域の回転量を特定し、操作記録部は、操作取得部が特定した回転量を特定する操作情報をアルバム情報ファイルに記録してよい。
【００１７】
使用者が撮像画像の撮像前における複数の操作中画像を連続的に取得する操作中画像取得部と、撮像画像を撮像する前のタイミングにおいて操作中画像取得部が取得した第１操作中画像と第２操作中画像とを比較する画像比較部とを更に備え、操作取得部は、画像比較部による比較結果に基づいて、撮像画像を撮像する前のタイミングから撮像画像が撮像されるタイミングまでの間において連続的に回転操作が行われた期間にわたる撮像領域の回転量を特定し、操作記録部は、操作取得部が特定した回転量を特定する操作情報をアルバム情報ファイルに記録してよい。
【００１８】
本発明の第３の形態においては、撮像された複数の撮像画像と、少なくとも１つの撮像画像を表示させる表示順序を指定するアルバム情報ファイルとを別個のファイルとして記録した記録媒体を読み出して、少なくとも１つの撮像画像を表示順序により表示する表示装置であって、アルバム情報ファイルにおいて表示順序が指定されたそれぞれの撮像画像について、撮像装置により当該撮像画像に対応付けてアルバム情報ファイルに記録された、使用者による当該撮像画像の撮像前または撮像後の操作を読み出す操作読出部と、操作に基づいて、撮像画像の重要度を判断する重要度判断部と、少なくとも１つの撮像画像のそれぞれを、重要度に応じた表示方法により表示する表示部とを備える表示装置を提供する。
【００１９】
また、表示部は、重要度に応じて、当該撮像画像を表示する時間、当該撮像画像を表示する大きさ、および当該撮像画像を表示している間に再生する音声の音量のうち少なくとも１つを変更してもよい。
【００２０】
本発明の第４の形態においては、撮像装置によって撮像した複数の撮像画像と、少なくとも１つの撮像画像を表示装置に表示させる表示順序を指定するアルバム情報ファイルとを、別個のファイルとして記録媒体に記録する撮像方法であって、当該撮像装置の使用者による、撮像画像の撮像前または撮像後の操作を取得する段階と、表示装置に表示させる撮像画像に対応付けて、当該撮像画像の撮像前または撮像後の操作に応じた重要度で当該撮像画像を表示させるべく操作の情報をアルバム情報ファイルに記録する段階とを備える撮像方法を提供する。
【００２１】
本発明の第５の形態においては、撮像した複数の撮像画像と、少なくとも１つの撮像画像を表示装置に表示させる表示順序を指定するアルバム情報ファイルとを、別個のファイルとして記録媒体に記録する撮像方法であって、当該撮像装置の使用者による、撮像画像の撮像前からの、撮像領域に対する撮像装置の回転操作を取得する操作取得段階と、表示装置に表示させる撮像画像に対応付けて、当該撮像画像の撮像前からの回転操作に応じた撮像装置の回転量だけ回転させて当該撮像画像を表示させるべく回転操作を示す操作情報をアルバム情報ファイルに記録する操作記録段階とを備える撮像方法を提供する。
【００２２】
本発明の第６の形態においては、撮像装置によって撮像された複数の撮像画像と、少なくとも１つの撮像画像を表示させる表示順序を指定するアルバム情報ファイルとを別個のファイルとして記録した記録媒体を読み出して、少なくとも１つの撮像画像を表示順序により表示する表示方法であって、アルバム情報ファイルにおいて表示順序が指定されたそれぞれの撮像画像について、撮像装置により当該撮像画像に対応付けてアルバム情報ファイルに記録された、使用者による当該撮像画像の撮像前または撮像後の操作を読み出す段階と、操作に基づいて、撮像画像の重要度を判断する段階と、少なくとも１つの撮像画像のそれぞれを、重要度に応じた表示方法により表示する段階とを備える表示方法を提供する。
【００２３】
本発明の第７の形態においては、撮像した複数の撮像画像と、少なくとも１つの撮像画像を表示装置に表示させる表示順序を指定するアルバム情報ファイルとを、別個のファイルとして記録媒体に記録する撮像装置を制御するプログラムであって、撮像装置を、当該撮像装置の使用者による、撮像画像の撮像前または撮像後の操作を取得する操作取得部と、表示装置に表示させる撮像画像に対応付けて、当該撮像画像の撮像前または撮像後の操作に応じた重要度で当該撮像画像を表示させるべく操作の情報をアルバム情報ファイルに記録する操作記録部として機能させるプログラムを提供する。
【００２４】
本発明の第８の形態においては、撮像した複数の撮像画像と、少なくとも１つの撮像画像を表示装置に表示させる表示順序を指定するアルバム情報ファイルとを、別個のファイルとして記録媒体に記録する撮像装置を制御するプログラムであって、撮像装置を、当該撮像装置の使用者による、撮像画像の撮像前からの、撮像領域に対する撮像装置の回転操作を取得する操作取得部と、表示装置に表示させる撮像画像に対応付けて、当該撮像画像の撮像前からの回転操作に応じた撮像装置の回転量だけ回転させて当該撮像画像を表示させるべく回転操作を示す操作情報をアルバム情報ファイルに記録する操作記録部として機能させるプログラムを提供する。
【００２５】
本発明の第９の形態においては、撮像装置によって撮像された複数の撮像画像と、少なくとも１つの撮像画像を表示させる表示順序を指定するアルバム情報ファイルとを別個のファイルとして記録した記録媒体を読み出して、少なくとも１つの撮像画像を表示順序により表示する表示装置を制御するプログラムであって、表示装置を、アルバム情報ファイルにおいて表示順序が指定されたそれぞれの撮像画像について、撮像装置により当該撮像画像に対応付けてアルバム情報ファイルに記録された、使用者による当該撮像画像の撮像前または撮像後の操作を読み出す操作読出部と、操作に基づいて、撮像画像の重要度を判断する重要度判断部と、少なくとも１つの撮像画像のそれぞれを、重要度に応じた表示方法により表示する表示部として機能させるプログラムを提供する。
なお、上記の発明の概要は、本発明の必要な特徴の全てを列挙したものではなく、これらの特徴群のサブコンビネーションもまた、発明となりうる。
【発明の効果】
【００２６】
本発明によれば、撮像装置によって撮像された様々な画像の中から、利用者にとって重要な画像をこれまでより適切に選択することができる。
【発明を実施するための最良の形態】
【００２７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２８】
図１は、画像管理システム１０の全体構成を示す。画像管理システム１０は、撮像装置３０と、表示装置４０とを有する。撮像装置３０は、被写体を撮像した撮像画像の画像データと、少なくとも１つの当該撮像画像を表示装置４０に表示させる表示順序を指定するアルバム情報ファイルとを、別個のファイルとして記録媒体２０に記録する。表示装置４０は、撮像された複数の撮像画像と、少なくとも１つの撮像画像を表示させる表示順序を指定するアルバム情報ファイルとを別個のファイルとして記録した記録媒体２０を読み出して、少なくとも１つの撮像画像を当該表示順序により表示する。
本実施形態における画像管理システム１０は、表示順序を定めるために必要な各種の情報を記録媒体２０に記録することで、利用者にとって重要な画像を適切に選択させることを目的とする。なお、本実施形態における画像とは、撮像画像であってよい。
【００２９】
図２は、記録媒体２０のデータ構造の一例を示す。本実施形態に係る記録媒体２０は、撮像された撮像画像の複数の画像データと、アルバム情報ファイルとのそれぞれを、別個のファイルとして記録媒体に記録させる規格に準拠している。この規格は、Ｐｉｃｔｕｒｅ  Ａｒｃｈｉｖｅ  Ａｎｄ  Ｓｈａｒｉｎｇ  Ｓｙｓｔｅｍ規格と呼ばれ、出願人を含む複数の同業事業者によって策定された統一規格である。具体的には、記録媒体２０は、ルートディレクトリの直下に、アセットディレクトリ２００、アルバムディレクトリ２３０、およびインデックスファイル２４０を格納している。アセットディレクトリ２００は、画像データを、複数のアセットロールディレクトリ（２１０ａ及び２１０ｂ。以降２１０として表記）に格納している。なお、本図において、アセットディレクトリ２００は、２つのアセットロールディレクトリ２１０を格納しているが、これに代えて、１つのみ、または３つ以上のアセットロールディレクトリ２１０を格納していてもよい。
【００３０】
アセットロールディレクトリ２１０ａは、複数の画像データ２１２ａ、アセット情報ファイル２１４ａ、及び表示用画像ディレクトリ２１６ａを格納している。また、アセットロールディレクトリ２１０ａは、更に、録音された音声を格納していてもよい。複数の画像データ２１２ａは、例えば、撮像装置３０によって撮像された静止画像や動画像であってよい。アセット情報ファイル２１４ａは、アセットロールディレクトリ２１０ａに格納されている複数の画像データ２１２ａのそれぞれへのパスを格納している。表示用画像ディレクトリ２１６ａは、アセットロールディレクトリ２１０ａの下位に位置すると共に、複数の表示用画像２１８ａを格納している。複数の表示用画像２１８ａは、複数の画像データ２１２に代えて表示される画像であり、例えば、複数の画像データの解像度を下げることによって生成された画像であってよい。なお、アセットロールディレクトリ２１０ａは、表示用画像における解像度や縦横比等が異なる、複数の表示用画像ディレクトリを格納していてもよい。これにより、表示用画像を表示する場合に利用する表示装置や表示方法毎に解像度や縦横比が異なる場合であっても、当該表示装置や表示方法に適した、表示品質の高い画像を表示することができる。また、アセット情報ファイル２１４ａは、複数の表示用画像２１８ａのそれぞれへのパスを更に格納している。
【００３１】
アセットロールディレクトリ２１０ｂは、複数の画像データ２１２ｂ、アセット情報ファイル２１４ｂ、及び複数の表示用画像２１８ｂが格納されている表示用画像ディレクトリ２１６ｂを格納している。本例に示すように、記録媒体２０は、複数の画像データを、複数のアセットロールディレクトリ２１０に分類して格納することができる。
【００３２】
アルバムディレクトリ２３０は、異なる画像データの組についての表示順序をそれぞれ指定する複数のアルバム情報ファイル２３２を格納している。具体的には、アルバム情報ファイル２３２は、表示すべき画像データへのパスを格納しているアセット情報ファイル（２１４ａ及び２１４ｂ。以降２１４と表記）へのパス、及び当該表示すべき画像データのそれぞれを識別する画像識別子を、表示順序に従って格納していてよい。なお、この場合、アセット情報ファイル２１４は、複数の画像データ２１２のそれぞれへのパスと、当該画像データを識別する画像識別子とを、対応付けて格納していてよい。
【００３３】
更に、アルバム情報ファイル２３２は、画像データに対応付けて、利用者により指定された当該画像データの嗜好度を更に記録してもよい。嗜好度とは、例えば、画像の重要度を５段階の相対評価で表したものであってもよい。例えば、段階１の画像は、半永久的に保存すべき記念の画像であり、段階２の画像は、アルバムに保存するほどではないが後で閲覧できるようにしておきたい画像であり、段階３の画像は、機会があれば知人にプレゼントしたい画像であり、段階４の画像は、他の画像と構図が似ているため冗長に記録されている画像であり、段階５の画像は、撮像に失敗した不要な画像であってもよい。これに代えて、嗜好度とは、画像の重要度をパーセント表記で表した絶対的な基準であってもよい。
【００３４】
インデックスファイル２４０は、複数のアセット情報ファイル２１４のそれぞれへのパス、及び複数のアルバム情報ファイル２３２へのパスを格納している。なお、インデックスファイル２４０は、記録媒体２０毎に異なることのない、予め定められたパスに記録されている。具体的には、インデックスファイル２４０は、記録媒体２０のルートディレクトリの直下に、"ＰＡＳＳＩＤＸ．ＰＶＭ"というファイル名で記録されていてよい。
【００３５】
なお、本図に示したアセットディレクトリ２００、アセットロールディレクトリ２１０、複数の画像データ２１２、アセット情報ファイル２１４、表示用画像ディレクトリ（２１６ａ及び２１６ｂ。以降２１６と表記）、複数の表示用画像２１８、アルバムディレクトリ２３０、並びに複数のアルバム情報ファイル２３２の少なくとも一部は、例えば利用者等によって予め定められた記録媒体２０のフォーマットによって異なっていてよい。ここで、記録媒体２０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
【００３６】
なお、アセットロールディレクトリ２１０は、複数の記録媒体２０のそれぞれが有するアセットロールディレクトリ２１０のそれぞれを識別可能なディレクトリ名を有していてよい。また、同様にして、記録媒体２０に格納されている、複数の画像データ２１２、アセット情報ファイル２１４、表示用画像ディレクトリ２１６、複数の表示用画像２１８、アルバムディレクトリ２３０、及び複数のアルバム情報ファイル２３２の少なくとも一部も、複数の記録媒体２０のそれぞれが備えるそれぞれのファイル及びディレクトリを識別可能な名称を有していてよい。
【００３７】
図３は、撮像装置３０の機能を機能ブロックにより示す。撮像装置３０は、撮像ユニット３００と、操作取得部３１０と、操作中画像取得部３２０と、画像比較部３３０と、操作記録部３４０と、指示入力部３５０とを有する。撮像ユニット３００は、撮像装置３０の使用者の操作に応じて被写体を撮像し、撮像した撮像画像の画像データを記録媒体２０に記録する。また、撮像ユニット３００は、使用者の操作に応じて、ズーム、フォーカス、または絞りの調整等を行う。本実施例においては、撮像ユニット３００は、合焦部３０５と、ズーム部３０８とを有する。合焦部３０５は、撮像する撮像画像の焦点を合わせる。ズーム部３０８は、焦点距離を望遠方向または広角方向に変更する。
【００３８】
操作取得部３１０は、使用者による、撮像画像の撮像前または撮像後の操作を取得する。操作中画像取得部３２０は、使用者が撮像画像の撮像前または撮像後に撮像装置３０を操作している間における操作中画像を取得する。画像比較部３３０は、撮像ユニット３００により撮像された撮像画像と、操作中画像取得部３２０により取得された操作中画像とを比較する。操作記録部３４０は、表示装置４０に表示させる撮像画像に対応付けて、その撮像画像の撮像前または撮像後の操作に応じた重要度でその撮像画像を表示させるべく操作の情報を記録媒体２０中のアルバム情報ファイルに記録する。好ましくは、操作記録部３４０は、撮像した撮像画像と操作中画像との被写体の一致度が予め定められた基準値以上であることを条件として、操作の情報をアルバム情報ファイルに記録する。
【００３９】
操作中画像取得部３２０は、使用者が撮像画像の撮像前または撮像後に撮像装置３０を操作している間における複数の操作中画像を連続的に取得する。そして、画像比較部３３０は、操作中画像取得部３２０が取得した複数の操作中画像の画像内容を比較して、当該複数の操作中画像の間の一致度を算出する。そして、操作記録部３４０は、画像比較部３３０が算出した一致度が予め定められた基準値以上である操作中画像が撮像されている間における操作を示す操作情報を、アルバム情報ファイル２３２に記録する。このため、操作記録部３４０は、撮像する構図がおおよそ定められた後の操作情報をアルバム情報ファイル２３２に記録することができるので、望ましい操作期間における使用者の操作を記録することができる。
【００４０】
指示入力部３５０は、使用者からの撮像装置３０への指示入力を受け付ける。指示入力部３５０は、使用者によって半押しされたタイミングにおいて所定の合焦ポイントに重なっている被写体に撮像ユニット３００を合焦させ、全押しされたタイミングにおいて撮像ユニット３００に撮像させるレリーズボタンであってよい。そして、操作取得部３１０は、指示入力部３５０が指示入力を受け付けたタイミングから撮像画像が撮像されたタイミングまでの間における操作を取得する。例えば、操作取得部３１０がレリーズボタンである場合には、操作取得部３１０は、指示入力部３５０が使用者による半押し操作を受け付けたタイミングから、使用者による全押し操作を受け付けたタイミングまでの間における操作を取得する。このため、操作記録部３４０は、適切な期間における使用者の操作を記録することができる。なお、指示入力を受け付けたタイミングから撮像画像が撮像されたタイミングまでの間とは、指示入力を受け付けたタイミング及び撮像画像が撮像されたタイミングを含んでよい。
【００４１】
また、操作記録部３４０は、操作取得部３１０が特定した被写体を他の被写体より強調して表示させるべく、操作取得部３１０が特定した被写体を示す操作情報をアルバム情報ファイル２３２に記録してよい。例えば、操作記録部３４０は、操作取得部３１０が特定した被写体又は当該被写体を含む部分領域をズームインして表示させるべく、操作取得部３１０が特定した被写体の画像又は当該被写体の画像における位置を、アルバム情報ファイル２３２に記録してよい。
【００４２】
操作中画像取得部３２０は、使用者による撮像画像の撮像前における撮像前画像を取得する。そして、画像比較部３３０は、操作中画像取得部３２０が取得した撮像前画像と撮像装置３０が撮像した撮像画像とを比較する。そして、操作取得部３１０は、画像比較部３３０による比較結果に基づいて、操作中画像が撮像されたタイミングから撮像画像が撮像されたタイミングまでの間における撮像領域の回転量を特定する。操作記録部３４０は、操作取得部３１０が特定した回転量を特定する操作情報をアルバム情報ファイル２３２に記録する。
【００４３】
このように、操作取得部３１０は、当該撮像装置３０の使用者による、撮像画像の撮像前からの、撮像領域に対する撮像装置３０の回転操作を取得する。そして、操作記録部３４０は、表示装置４０に表示させる撮像画像に対応付けて、当該撮像画像の撮像前からの回転操作に応じた撮像装置３０の回転量だけ回転させて当該撮像画像を表示させるべく回転操作を示す操作情報をアルバム情報ファイル２３２に記録する。
【００４４】
なお、操作中画像取得部３２０は、使用者が撮像画像の撮像前における複数の操作中画像を連続的に取得してよい。そして、画像比較部３３０は、撮像画像を撮像する前のタイミングにおいて操作中画像取得部３２０が取得した第１操作中画像と第２操作中画像とを比較してよい。そして、操作取得部３１０は、画像比較部３３０による比較結果に基づいて、撮像画像を撮像する前のタイミングから撮像画像が撮像されるタイミングまでの間において連続的に回転操作が行われた期間にわたる撮像領域の回転量を特定してよい。そして、操作記録部３４０は、操作取得部３１０が特定した回転量を特定する操作情報をアルバム情報ファイル２３２に記録してよい。これにより、撮像装置３０は、回転操作が継続している期間を適切に特定して、その期間における回転操作をアルバム情報ファイル２３２に記録することができる。
【００４５】
図４は、表示装置４０の機能を機能ブロックにより示す。表示装置４０は、操作読出部４００と、重要度判断部４１０と、表示部４２０とを有する。操作読出部４００は、アルバム情報ファイルにおいて表示順序が指定されたそれぞれの撮像画像について、撮像装置３０によりその撮像画像に対応付けてアルバム情報ファイルに記録された、使用者によるその撮像画像の撮像前または撮像後の操作を読み出す。重要度判断部４１０は、読み出した当該操作に基づいて、その撮像画像の重要度を判断する。表示部４２０は、少なくとも１つの撮像画像のそれぞれを、記録媒体２０から読み出して、その撮像画像の重要度に応じた表示方法によりその撮像画像を表示する。
【００４６】
図５は、撮像装置３０が撮像した撮像画像を記録する処理のフローチャートを示す。撮像装置３０は、以下の処理を、例えば定期的に繰り返す。操作取得部３１０は、撮像装置３０の使用者による撮像装置３０に対する操作を取得する（Ｓ５００）。具体的には、操作取得部３１０は、使用者の合焦操作に応じて、合焦された被写体を特定し、特定されたその被写体を示す情報を取得してもよい。また、操作取得部３１０は、撮像装置３０の使用者による撮像後のズームイン操作または撮像前のズームアウト操作に応じて、撮像前または撮像後に拡大された被写体を特定し、特定されたその被写体を示す情報を取得してもよい。具体的には、操作取得部３１０は、撮像画像においてその被写体を示すオブジェクトの識別番号を取得してもよいし、撮像画像においてそのオブジェクトが位置する座標値を取得してもよい。
【００４７】
また、操作取得部３１０は、画像に含まれる複数の被写体のうち、使用者が撮像前または後に撮像装置３０の向きを変えて撮像領域の中心に捉えた被写体を特定し、特定されたその被写体を示す情報を取得してもよい。また、操作取得部３１０は、使用者が撮像する画像の構図を定めてから画像を撮像するまでに時間を取得してもよいし、撮像装置３０の電源が投入されてから最初に画像が撮像されるまでの時間を取得してもよい。
【００４８】
操作中画像取得部３２０は、使用者が撮像装置３０を操作している間における操作中画像を取得する（Ｓ５１０）。撮像ユニット３００により被写体の画像が撮像された場合に（Ｓ５２０：ＹＥＳ）、画像比較部３３０は、撮像した画像と操作中画像とを比較する（Ｓ５３０）。そして、操作記録部３４０は、撮像した画像と操作中画像との被写体の一致度が予め定められた基準値以上であることを条件として（Ｓ５４０：ＹＥＳ）、当該操作の情報（例えば被写体を特定する情報）をアルバム情報ファイルに記録する（Ｓ５５０）。この場合、好ましくは、操作記録部３４０は、画像の撮像時刻より予め定められた時間前から撮像時刻までの間の操作、または、画像の撮像時刻から撮像時刻より予め定められた時間後までの間の操作の情報をアルバム情報ファイルに記録する。これにより、その画像の撮像と関連の強い操作のみを、その画像に対応付けて記録することができる。
【００４９】
記録する操作情報の詳細としては、例えば、操作記録部３４０は、合焦された被写体を特定する操作情報をアルバム情報ファイルに記録してもよい。更にこの場合、操作記録部３４０は、合焦された被写体の重要度が、画像に撮像された他の被写体より高いことを示す操作情報をアルバム情報ファイルに記録してもよい。これにより、複数の被写体が撮像された集合写真であってもその撮像時点において被写体として重要な人物を自動的に特定することができる。
【００５０】
また、操作記録部３４０は、ズームインにより拡大された被写体を特定する操作情報をアルバム情報ファイルに記録してもよい。更にこの場合、操作記録部３４０は、拡大された被写体の重要度が、他の被写体より高いことを示す操作情報をアルバム情報ファイルに記録してもよい。この例によっても、複数の被写体が撮像された集合写真であってもその撮像時点において被写体として重要な人物を自動的に特定することができる。また、これに代わる他の例として、操作記録部３４０は、今回の撮像画像に写っている被写体のうち、その撮像画像の前または後に撮像された画像において拡大されている被写体の重要度を、他の被写体よりも高いことを示す操作情報を記録してもよい。
【００５１】
更に他の例として、操作記録部３４０は、操作取得部３１０が取得した、構図を定めてから撮像されるまでの時間、または電源が投入されてから撮像されるまでの時間を記録してもよい。この場合、更に、操作記録部３４０は、操作取得部３１０が取得した時間がより長い場合に、その時間がより短い場合と比較して、その画像がより重要であることを示す操作情報をアルバム情報ファイルに記録してもよい。これにより、撮像の準備に時間を要した画像は重要なものとして取り扱うことができる。
【００５２】
図６は、操作情報として記録媒体２０に記録される操作を説明する図である。（ａ）は、撮像装置３０により撮像された画像を、その撮像後にズームイン操作が行われた場合の操作中画像と対比して示す。撮像画像の被写体であるＡ、ＢおよびＣのうち、撮像後の操作中画像においては被写体Ｂが拡大されている。この結果、操作記録部３４０は、拡大された被写体であるＢを特定する操作情報を、被写体Ａ、ＢおよびＣを含む撮像画像に対応付けて、アルバム情報ファイルに記録する。これにより、後に画像を編集する場合等に、撮像時に使用者が重要と考えていた被写体を特定しやすくできる。
【００５３】
（ｂ）は、撮像装置３０により撮像された画像を、その撮像後に撮像装置３０の向きを変えた場合の操作中画像と対比して示す。撮像画像の被写体であるＡ、ＢおよびＣのうち、撮像後の操作中画像においては被写体Ｂが、撮像領域の中心に捉えられている。この結果、操作記録部３４０は、中心に捉えた被写体Ｂを特定する操作情報を、被写体Ａ、ＢおよびＣを含む撮像画像に対応付けて、アルバム情報ファイルに記録する。この情報によっても、後に画像を編集する場合等に、撮像時に使用者が重要と考えていた被写体を特定しやすくできる。
【００５４】
（ｃ）は、撮像装置３０の撮像領域内に設けられた複数のフォーカス位置と、その撮像領域内に捉えた被写体とを対比して示す。本図の例において、撮像領域内には、撮像領域の４隅、中心上部および中心下部に、合計６つのフォーカス位置が設けられている。この場合、操作取得部３１０は、これら６つのフォーカス位置のそれぞれについて、被写体までの距離を示す情報を操作情報として取得する。これらの距離の測定は、例えば、合焦部３０５に設けられた測距機能により実現できる。そして、操作記録部３４０は、これらの距離を示す情報をアルバム情報ファイルに記録する。
【００５５】
例えば、本図においては、撮像画像の撮像領域内において、被写体ＡからＥが捉えられている。そして、被写体Ａは、撮像領域左上隅のフォーカス位置に捉えられ、被写体Ｃは、撮像領域右下隅のフォーカス位置に捉えられ、被写体Ｅは、撮像領域左下隅のフォーカス位置に捉えられている。これにより、操作記録部３４０は、被写体Ａ、ＣおよびＥのそれぞれに対する距離を示す情報をアルバム情報ファイルに記録することができる。
【００５６】
図７は、レリーズボタンの半押しによる被写体の指定操作の動作の一例を示す。操作中画像取得部３２０は、撮像ユニット３００が撮像した画像を連続的に取得することによって、操作中画像７０１、７０２、７０３・・・、７１１、７１２、７１３・・・、及び７２１を取得している。なお、操作中画像７０１、７１１、及び７２１は、それぞれ被写体Ａ、Ｅ、及びＣに予め定められたフォーカス位置（例えば、撮像範囲の中心の位置）が重ねられている状態でレリーズボタンが半押しされたタイミングにおいて撮像ユニット３００が撮像した画像である。
【００５７】
そして、画像比較部３３０は、連続して撮像された２つの操作中画像において、一方の操作中画像をｘ方向及びｙ方向に所定の移動幅ずつ移動させた移動画像と、他方の操作中画像とを比較して、その画像内容の一致度を算出する。そして、操作取得部３１０は、最も高い一致度が算出された移動方向及び移動幅を特定することによって、特定した移動方向及び移動幅を移動量を特定する。本図においては、操作中画像７０２をｙ方向の下方にずらしていった場合に、操作中画像７０１と最も高い一致度が算出される移動幅を見つけることができる。これにより、操作取得部３１０は、撮像方向を下方に移動させる移動操作がなされた旨を判断することができる。同様にして、画像比較部３３０による操作中画像７１１と操作中画像７２１との間における画像内容の比較結果に基づいて、操作取得部３１０は撮像方向を右方向に移動させる移動操作がなされた旨を判断する。これにより、操作取得部３１０は、被写体Ａにフォーカス位置が定められてレリーズボタンが半押しされた後、撮像方向が下方に移動されて被写体Ｅにフォーカス位置が定められた状態でレリーズボタンが半押しされ、さらに撮像方向が右方向に移動されて被写体Ｃにフォーカス位置が定められた状態でレリーズボタンが半押しされるといった、撮像画像を撮像するまでの一連の操作を取得することができる。また、操作取得部３１０は、操作中画像のそれぞれが撮像されたタイミング及び移動量に基づいて、撮像方向の移動速度を特定することができる。
【００５８】
そして、操作記録部３４０は、操作取得部３１０が取得した一連の操作を示す操作情報を、アルバム情報ファイル２３２に記録する。具体的には、操作取得部３１０は、撮像方向の移動方向及び移動速度、並びに撮像画像上におけるレリーズボタンが半押しされた被写体の位置を示す操作情報を、操作情報操に応じた表示方法で表示装置４０に表示させるべく、アルバム情報ファイル２３２に記録する。例えば、操作取得部３１０は、レリーズボタンが半押しされた被写体を強調して表示装置４０に表示させるべくアルバム情報ファイル２３２に記録する。
【００５９】
なお、上記のような撮像方向の移動操作を含む撮像装置３０の操作を取得する動作は、レリーズボタンが半押しされたことを条件として開始されて、撮像画像が取得されるまで継続されてよい。
【００６０】
図８は、撮像装置３０の回転操作を特定する特定方法の一例を示す。画像比較部３３０は、操作中画像を所定の角度ずつ回転させた回転画像と撮像画像８０２とを比較する。このとき、画像比較部３３０は、図７に関連して説明したように撮像画像を所定の移動幅ずつ移動させながら回転画像と比較して、画像内容の一致度を算出する。そして、操作取得部３１０は、最も高い一致度が算出された角度及び移動幅を特定する。
【００６１】
本図においては、撮像方向を略一定に保ったまま撮像装置３０を回転させる前の操作中画像８０１と、回転させた後の撮像画像８０２が示されており、操作中画像８０１の部分画像８１１を左に９０度回転させた画像内容は、部分画像８１２と画像内容が略同一となる。このため、画像比較部３３０が、操作中画像８０１を左に９０度回転させた画像の画像内容を、撮像画像８０２を適切に移動させながらマッチングしていった場合に、最も高い一致度が算出される移動幅を特定することができる。なお、画像比較部３３０は、特定した当該移動幅に基づいて、撮像装置３０の回転操作の回転中心となる撮像画像上の点を特定することができる。そして、操作記録部３４０は、特定した回転中心となる点をアルバム情報ファイル２３２に記録してもよい。
【００６２】
なお、上記の例では、画像比較部３３０が操作中画像と撮像画像を比較することによって回転量（例えば、角度及び移動幅）を算出する動作について説明したが、連続して取得された操作中画像同士を画像比較部３３０が比較することによって、連続する操作中画像の間における回転量を特定することができる。これにより、操作取得部３１０は、回転操作が継続している期間を特定することができ、ひいては、その期間における回転量及び回転量の時間的変化を特定することができる。そして、操作記録部３４０は、特定した回転量及び回転量の時間的変化をアルバム情報ファイル２３２に記録してよい。
【００６３】
なお、操作取得部３１０が回転操作を取得する動作は、構図が定められたことを条件として開始されて、撮像画像が取得されるまで継続される。なお、操作取得部３１０は、レリーズボタンが半押しされた場合に構図が定められた旨を検出してよい。また、操作取得部３１０は、操作中画像取得部３２０が取得した連続する操作中画像の間において画像比較部３３０が特定した画像内容の一致度が予め定められた基準値より大きくなった場合に、構図が定められた旨を検出してもよい。
【００６４】
図９は、表示装置４０が画像を読み出して表示する処理のフローチャートを示す。操作読出部４００は、アルバム情報ファイルにおいて表示順序が指定されたそれぞれの画像について、撮像装置３０によりその画像に対応付けてアルバム情報ファイルに記録された、使用者によるその画像の撮像前または撮像後の操作を読み出す（Ｓ７００）。重要度判断部４１０は、読み出した当該操作に基づいて、その画像の重要度を判断する（Ｓ７１０）。
【００６５】
表示部４２０は、少なくとも１つの画像のそれぞれを、記録媒体２０から読み出して、その画像の重要度に応じた表示方法によりその画像を表示する（Ｓ７２０）。例えば、表示部４２０は、複数の画像を配列して表示する場合において重要度が基準以上の画像を他の画像よりも大きく表示してもよい。更に、表示部４２０は、重要度に応じて、当該画像を表示する時間を変更してもよい。例えば、表示部４２０は、重要度がより高い場合に、重要度がより低い場合と比較して、当該画像を表示する時間を長くしてもよい。更に、表示部４２０は、画像の重要度に応じて、当該画像を表示している間に再生する音声の音量を変更してもよい。例えば、表示部４２０は、画像の重要度がより高い場合に、重要度がより低い場合と比較して、再生する音声の音量を大きくしてもよい。これにより、画像の再生時に、撮像時の状況に基づく適切な演出を行うことができる。
【００６６】
図１０は、図９のＳ７２０における画像を表示する表示例の一例を示す。本図においては、画像６０２を表示画面１０００に表示してから、表示画面１０００の表示領域から消えるまで画像６０２を一定方向に移動させる表示例を例に挙げて説明する。アルバム情報ファイル２３２には、重要な被写体Ａが画像６０２の左側に位置する旨が記録されているとする。このとき、表示部４２０は、画像６０２における重要な被写体Ａの位置に基づいて、画像６０２を移動させながら表示する表示方法を決定する。具体的には、表示部４２０は、画像６０２を表示画面１０００の左側に表示させた後、右方向に移動させて表示する。こうすると、重要な被写体Ａが、その他の被写体Ｂ及びＣより長い間表示画面１０００上に表示されるので、重要な被写体Ａをより長く閲覧者に閲覧させることができる。なお、上記のような表示例は、単なる一例であって、表示部４２０は、画像の重要度又は画像における重要な被写体の位置に応じて、画像を様々な表示態様で表示してよい。
【００６７】
図１１は、撮像装置３０が回転操作して撮像された画像を表示する表示例の一例を示す。表示部４２０は、画像８０２操作取得部３１０が特定した回転量だけ回転させて表示する。なお、撮像装置３０が回転の角速度を特定して、特定した角速度がアルバム情報ファイル２３２に記録している場合には、表示部４２０は、記録されている角速度に応じて画像８０２を表示してもよい。例えば、表示部４２０は、アルバム情報ファイル２３２に記録されている角速度に比例した角速度で画像８０２を回転させながら表示してよい。
【００６８】
以上、本実施例に係る画像管理システム１０によれば、利用者の主観によって定まる画像の重要度を適切に予想して、その重要度を画像に対応付けて記録することができる。また、１つの画像に撮像された複数の被写体のうち、その撮像時に使用者が重要と考えていた被写体を特定して、その画像に対応付けて記録することができる。これにより、使用者とは異なる人物が画像を編集する場合、または、撮像後にしばらく時間が経過してから画像を編集する場合においても、撮像時の状況を参考にして適切な編集を行うことができる。更に、画像の表示・再生時においては、撮像時の状況に基づく適切な演出処理を行うことができる。
【００６９】
図１２は、本実施形態の撮像装置３０及び表示装置４０に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７０】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７１】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置３０及び表示装置４０と通信し、撮像装置３０及び表示装置４０にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００７２】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７３】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置３０及び表示装置４０に送信される。撮像装置３０及び表示装置４０に送信されたプログラムは、撮像装置３０及び表示装置４０においてインストールされて実行される。
【００７４】
撮像装置３０にインストールされて実行されるプログラムは、撮像装置３０を、図１から図１１に関連して説明した撮像ユニット３００、操作取得部３１０、操作中画像取得部３２０、画像比較部３３０、操作記録部３４０、指示入力部３５０として機能させる。また、表示装置４０にインストールされて実行されるプログラムは、表示装置４０を、を図１から図１１に関連して説明した操作読出部４００、重要度判断部４１０、及び表示部４２０として機能させる。
【００７５】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７７】
【図１】図１は、画像管理システム１０の全体構成を示す。
【図２】図２は、記録媒体２０のデータ構造の一例を示す。
【図３】図３は、撮像装置３０の機能を機能ブロックにより示す。
【図４】図４は、表示装置４０の機能を機能ブロックにより示す。
【図５】図５は、撮像装置３０が撮像した画像を記録する処理のフローチャートを示す。
【図６】図６は、操作情報として記録媒体２０に記録される操作を説明する図である。
【図７】図７は、レリーズボタンの半押しによる被写体の指定操作の一例を説明する図である。
【図８】図８は、回転操作の特定方法の一例を説明する図である。
【図９】図９は、表示装置４０が画像を読み出して表示する処理のフローチャートを示す。
【図１０】図１０は、表示装置４０による画像の表示例を示す。
【図１１】図１１は、表示装置４０による画像の他の表示例を示す。
【図１２】図１２は、撮像装置３０及び表示装置４０に係るコンピュータ１５００のハードウェア構成の一例を示す。
【符号の説明】
【００７８】
１０  画像管理システム
２０  記録媒体
３０  撮像装置
４０  表示装置
２００  アセットディレクトリ
２１０  アセットロールディレクトリ
２１２  画像データ
２１６  表示用画像ディレクトリ
２１８  表示用画像
２３０  アルバムディレクトリ
２３２  アルバム情報ファイル
２４０  インデックスファイル
３００  撮像ユニット
３０５  合焦部
３０８  ズーム部
３１０  操作取得部
３２０  操作中画像取得部
３３０  画像比較部
３４０  操作記録部
３５０  指示入力部
４００  操作読出部
４１０  重要度判断部
４２０  表示部
【図１】
2007013936.tif 000003
【図２】
2007013936.tif 000004
【図３】
2007013936.tif 000005
【図４】
2007013936.tif 000006
【図５】
2007013936.tif 000007
【図６】
2007013936.tif 000008
【図７】
2007013936.tif 000009
【図８】
2007013936.tif 000010
【図９】
2007013936.tif 000011
【図１０】
2007013936.tif 000012
【図１１】
2007013936.tif 000013
【図１２】
2007013936.tif 000014